(57)【要約】  蛍光組立体が、蛍光層と、その蛍光層に取り付けられた広帯域反射板とを備える。蛍光組立体は、遠隔蛍光式照明システムを設けるために、短波長（例えば青色）発光ＬＥＤ及び任意の他の構成要素と組み合わされ得る。少なくとも一部のＬＥＤ光は、広帯域反射板に達する前に蛍光層を通過する。広帯域反射板は、ＬＥＤ光とそれより長波長の蛍光の双方に対し、高い反射率をもたらす。ＬＥＤ光に対する蛍光層の透明性又は透過性の程度は、照明システムの広帯域光出力を増加させるように調整され得る。そのような光出力の増加は実際に、蛍光層に使用される蛍光体の量を減少させることによって達成され得る。ＬＥＤ光に対する蛍光層の単光路透過率Ｔは約３０％〜６０％であってよく、広帯域反射板の反射率は、少なくとも９０％、９４％、又は９８％であってよい。【選択図】図２
2014501438.tif 000002
【特許請求の範囲】
【請求項１】
遠隔蛍光式ＬＥＤ装置で使用するための組立体であって、４００ｎｍ〜５００ｎｍの範囲に発光ピークを有するＬＥＤ光で照明され、前記組立体は、
前記ＬＥＤ光の一部分を吸収し、前記吸収されたＬＥＤ光に応答して蛍光を発光するように構成された蛍光層と、
前記蛍光層に取り付けられた広帯域反射板と、を備え、
前記広帯域反射板は、前記ＬＥＤ光に対して、また前記蛍光に対して、少なくとも９０％の反射率を有し、
前記蛍光層は、前記蛍光層を貫く前記ＬＥＤ光の単光路透過率Ｔが得られるように調整された蛍光体濃度及び物理的厚さを有し、Ｔは３０％〜６０％の範囲内にある、組立体。
【請求項２】
打抜き可能である、請求項１に記載の組立体。
【請求項３】
前記広帯域反射板は直接、前記蛍光層に取り付けられる、請求項１に記載の組立体。
【請求項４】
前記広帯域反射板は、１枚以上の中間層を介して前記蛍光層に取り付けられる、請求項１に記載の組立体。
【請求項５】
前記蛍光層に取り付けられた接着剤層を更に備える、請求項１に記載の組立体。
【請求項６】
前記蛍光層に取り付けられた構造層を更に備え、前記構造層は自立している、請求項１に記載の組立体。
【請求項７】
前記蛍光層と前記広帯域反射板とを支持するように適合された剥離ライナーを更に備える、請求項１に記載の組立体。
【請求項８】
前記ＬＥＤ光を与えるための１個以上のＬＥＤと共に、請求項１に記載の組立体を備える遠隔蛍光式照明システム。
【請求項９】
前記ＬＥＤ光の第１の部分を反射するように、前記ＬＥＤ光の第２の部分を透過させるように、そして前記蛍光の一部分を透過させるように構成された二色性反射板を更に備える、請求項８に記載のシステム。
【請求項１０】
広帯域光出力を与える遠隔蛍光式照明システムであって、
４００ｎｍ〜５００ｎｍの範囲に１つ以上の発光ピークを有するＬＥＤ光を発光するように適合された１個以上のＬＥＤと、
蛍光層と、該蛍光層に取り付けられた広帯域反射板とを備える組立体であって、前記蛍光層は、前記ＬＥＤ光の一部分を吸収し、前記吸収されたＬＥＤ光に応答して蛍光を発光するように構成されており、前記広帯域反射板は、前記ＬＥＤ光に対して、また前記蛍光に対して、少なくとも９０％の反射率を有する、組立体と、を備え、
前記広帯域光出力は、前記組立体によって発光された前記蛍光の一部分と、前記組立体によって反射された前記ＬＥＤ光の一部分とを含み、
前記蛍光層は、前記蛍光層を貫く前記ＬＥＤ光の単光路透過率Ｔが得られるように調整された蛍光体濃度及び物理的厚さを有し、Ｔは、前記広帯域光出力を最大化するように選択されている、システム。
【請求項１１】
前記１個以上のＬＥＤによって発光された前記ＬＥＤ光の一部分を反射して、前記組立体を通過しない光路を経由して前記組立体に衝突させるように構成された二色性反射板であって、前記１個以上のＬＥＤによって発光された前記ＬＥＤ光の一部分を透過させるように、そして前記蛍光の一部分を透過させるようにも構成されている、二色性反射板を更に備える、請求項１０に記載のシステム。
【請求項１２】
外部表面と内部表面とを有するレンズ部材であって、前記二色性反射板が前記外部表面上に配設されている、レンズ部材を更に備え、
前記組立体は、前記蛍光層が前記レンズ部材と前記広帯域反射板との間に配設されるように方向付けられている、請求項１１に記載のシステム。
【請求項１３】
前記広帯域光出力はＣＩＥ色座標（ｘ，ｙ）を有し、ｘは０．２５〜０．４の範囲内にあり、ｙは０．２５〜０．４の範囲内にある、請求項１０に記載のシステム。
【請求項１４】
前記蛍光層は、緑色発光蛍光体である、請求項１０に記載のシステム。
【請求項１５】
遠隔蛍光式ＬＥＤ装置で使用するための組立体であって、ＬＥＤ光で照明され、前記組立体は、
４００ｎｍ〜５００ｎｍの範囲の第１のＬＥＤ光を発光するための１個以上のＬＥＤの配列と、
前記第１のＬＥＤ光の一部分を吸収し、前記吸収された前記第１のＬＥＤ光に応答して蛍光を発光するように構成された蛍光層と、
赤色ＬＥＤ光を発光するための少なくとも１個の付加的なＬＥＤと、
前記第１のＬＥＤ光の第１の部分を反射するように、前記ＬＥＤ光の第２の部分を透過させるように、前記赤色ＬＥＤ光を透過させるように、そして前記蛍光の一部分を透過させるように構成された二色性反射板と、
前記蛍光層に取り付けられた広帯域反射板と、を備え、
前記広帯域反射板は、前記第１のＬＥＤ光に対して、また前記蛍光に対して、少なくとも９０％の反射率を有する、組立体。
【発明の詳細な説明】
【技術分野】
【０００１】
本発明は広義には、発光ダイオード（ＬＥＤ）と蛍光体を組み込んだ固体光源に対して特定の用途を有する光源に関する。本発明はまた、それに関連する物品、システム、及び方法に関する。
【背景技術】
【０００２】
広帯域光を発光する固体光源が知られている。いくつかの例において、そのような光源は、黄色発光蛍光体の層を青色ＬＥＤの上に施すことによって作られる。青色ＬＥＤからの光が蛍光層を通過するとき、青色の一部が吸収され、吸収されたエネルギーのうちの相当な部分が、可視スペクトル内のより長い波長のストークスシフト光、通常は黄色光として、蛍光体によって再発光される。蛍光体の厚さは十分に薄いものであり、そのため、青色ＬＥＤ光の一部は蛍光層を完全に通過し、蛍光体からの黄色光と組み合わさって、白色の外観を有する広帯域の出力光を与える。
【０００３】
他のＬＥＤポンプ式の蛍光光源もまた提案されてきた。米国特許第７，０９１，６５３号（アウダーカーク（Ouderkirk）ら）では、ＬＥＤからの光がロングパス反射板によって蛍光層へと反射される光源について議論されている。蛍光層は可視（好ましくは白色）光を発光するが、その光は実質的に、ロングパス反射板によって伝播される。ＬＥＤ、蛍光層、及びロングパスフィルタは、光がＬＥＤからロングパス反射板に移動するとき、その光が蛍光層を通過しないような方式で配列される。
【発明の概要】
【課題を解決するための手段】
【０００４】
本発明者らは、遠隔蛍光式照明システムで使用するための、新規な一群の蛍光組立体を開発した。これらの蛍光組立体は通常、蛍光層と、その蛍光層に取り付けられた広帯域反射板とを備える。この蛍光組立体は、遠隔蛍光式照明システムを設けるために、１個以上の短波長（例えば青色）発光ＬＥＤ及び任意の他の構成要素との組み合わせで使用され得る。そのようなシステムにおいて、ＬＥＤからの少なくとも一部の光は、広帯域反射板に到達する前に蛍光層を通過する。広帯域反射板は、ＬＥＤ光とそれより長波長の蛍光の双方に対し、高い反射率をもたらす。本発明者らが見出したところによれば、ＬＥＤ光に対する蛍光層の透明性（又は透過性）の程度は、例えば、照明システムの広帯域光出力を増加させるように、蛍光体濃度及び蛍光層の物理的厚さを適切に選択することによって調整され得る。そのような光出力の増加は実際に、蛍光層に使用される蛍光体の量を減少させることによって達成され得る。場合によっては、蛍光体濃度と蛍光層の厚さは、蛍光層を通過するＬＥＤ光の単光路透過率Ｔが得られるように選択され得る。Ｔは、照明システムの広帯域光出力を最大化するように選択されてもよい。本発明者らが見出したところでは、Ｔは例えば、３０％〜６５％、又は３５％〜６０％、又は４０％〜５０％の範囲内にあってよい。
【０００５】
場合によっては、広帯域反射板は、ＬＥＤ光と蛍光に対して、少なくとも９４％、又は少なくとも９８％の反射率を有し得る。蛍光組立体は、例えば、高分子ベースフィルムを使用してロール形式で作製されてもよく、次いで、好適な寸法及び形状の各片が、特定の遠隔蛍光式照明システムに組み込むためにロールから切断されてもよい。したがって、組立体は打抜き可能となり得る。場合によっては、広帯域反射板は直接、蛍光層に取り付けられてもよいが、他の場合には、広帯域反射板は、１枚以上の中間層を介して蛍光層に取り付けられてもよい。蛍光組立体は、蛍光層に取り付けられ接着剤層を有してもよい。この組立体は、蛍光層に取り付けられた構造層を有し、その構造層は自立するものである。この組立体は、蛍光層と広帯域反射板とを支持するように適合された剥離ライナーを有してもよい。
【０００６】
ある遠隔蛍光式照明システムが、短波長ＬＥＤ光を与えるための１個以上のＬＥＤと組み合わせて蛍光組立体を有してもよい。そのようなシステムはまた、ＬＥＤ光の第１の部分を反射するように、ＬＥＤ光の第２の部分を透過させるように、そして蛍光の一部分を透過させるように構成された二色性反射板を更に備えてもよい。
【０００７】
広帯域光出力を与える遠隔蛍光式照明システムについて説明する。そのようなシステムが、１個以上のＬＥＤと蛍光組立体とを備える。ＬＥＤは、４００ｎｍ〜５００ｎｍの範囲に１つ以上の発光ピークを有するＬＥＤ光を発光し得る。蛍光組立体は、蛍光層と、その蛍光層に取り付けられた広帯域反射板とを備えてもよい。蛍光層は、ＬＥＤ光の一部分を吸収し、その吸収されたＬＥＤ光に応答して蛍光を発光するように構成されてもよく、広帯域反射板は、ＬＥＤ光に対して、また蛍光に対して、少なくとも９０％の反射率を有してよい。広帯域光出力は、蛍光組立体によって発光された蛍光の一部分と、蛍光組立体によって反射されたＬＥＤ光の一部分とを含み得る。蛍光層は、蛍光層を貫くＬＥＤ光の単光路透過率Ｔが得られるように調整された蛍光体濃度及び物理的厚さを有してよく、Ｔは広帯域光出力を最大化するように選択される。Ｔは、３０％〜６５％、又は３５％〜６０％、又は４０％〜５０％の範囲内にあってよい。広帯域反射板は、ＬＥＤ光に対して、また蛍光に対して、少なくとも９４％、又は少なくとも９８％の反射率を有する。
【０００８】
そのようなシステムはまた、１個以上のＬＥＤによって発光されたＬＥＤ光の一部分を反射して、組立体を通過しない光路を経由して組立体に衝突させるように構成された二色性反射板であって、１個以上のＬＥＤによって発光されたＬＥＤ光の一部分を透過させるように、そして蛍光の一部分を透過させるようにも構成されている、二色性反射板を更に備えてもよい。このシステムはまた、外部表面と内部表面とを有するレンズ部材を備えてもよく、二色性反射板はその外部表面の少なくとも一部分上に配設されてもよい。二色反射体は、レンズ部材の外部表面の実質的にすべてを被覆するように作製されてもよく、あるいは、レンズ部材の外部表面の面積の少なくとも５０％、７０％、又は８０％を被覆してもよい。蛍光組立体は、蛍光層がレンズ部材と広帯域反射板との間に配設されるように方向付けられる。
【０００９】
そのようなシステムの広帯域光出力は実質的に白色となることができ、また少なくとも、（１）組立体によって反射され、二色性反射板によって透過されたＬＥＤ光と、（２）二色性反射板によって透過された蛍光とを含み得る。広帯域光出力は更に、（３）二色性反射板によって透過されるが、組立体によって反射されないＬＥＤ光も含み得る。広帯域光出力はＣＩＥ色座標（ｘ，ｙ）を有することができ、ｘは０．２５〜０．４の範囲内にあり、ｙは０．２５〜０．４の範囲内にあり得る。
【００１０】
また、関連する方法、システム、及び物品についても議論する。
【００１１】
本願のこれらの態様及び他の態様は、以下の詳細な説明から明らかとなろう。しかしながら、いかなる場合も、上記の要約は、請求する主題を限定するものとして見なされるべきではなく、その主題は添付の「特許請求の範囲」によってのみ定義され、「特許請求の範囲」は手続処理の間に補正され得る。
【図面の簡単な説明】
【００１２】
【図１ａ】ＬＥＤと、二色性反射板と、蛍光層とを有する遠隔蛍光式広帯域光源の概略的な側面又は断面図。
【図１ｂ】例示的な青色ＬＥＤと例示的な蛍光体のスペクトル強度分布の理想的なグラフ。
【図２】ＬＥＤと、二色性反射板と、蛍光組立体とを有する遠隔蛍光式広帯域光源の概略的な側面又は断面図。
【図３ａ】例示的な蛍光組立体の概略的な側面又は断面図。
【図３ｂ】例示的な蛍光組立体の概略的な側面又は断面図。
【図４】別の例示的な広帯域光源の概略的な斜視図。
【図５】広帯域光源の一部分の概略的な頂面図又は平面図。
【図６】別の例示的な広帯域光源の概略的な側面図又は断面図であり、蛍光組立体を示している。
【図７】ＬＥＤと蛍光組立体とを有する別の遠隔蛍光式広帯域光源の概略的な側面図又は断面図。
【図８】様々な入射角に対する、モデル化された二色性反射板のスペクトル反射率のグラフであり、その上に、例示的な青色ＬＥＤの正規化パワースペクトルのグラフが重ね合わされている。
【図９】蛍光組立体の蛍光層の単光路透過率を蛍光体濃度（粒子密度）の関数としたグラフ。
【図１０】遠隔蛍光式広帯域光源からの総発光量を蛍光体濃度（粒子密度）の関数としたグラフ。
【図１１】遠隔蛍光式広帯域光源からの広帯域出力の色座標を蛍光体濃度（粒子密度）の関数としたグラフ。
【図１２】別の例示的な広帯域光源の概略的な側面図又は断面図であり、蛍光組立体を示している。  これらの図において、同様の参照符号は同様の要素を示すものである。
【発明を実施するための形態】
【００１３】
上述のように、本願はとりわけ、広帯域固体光源又はシステムで使用するための蛍光組立体について記載するものであり、その光源は、ＬＥＤなどの１つ以上の固体発光装置からの光によってポンピング又は励起される蛍光材料の層を利用するものである。この蛍光組立体は、広帯域反射板に取り付けられた蛍光層を備える。ＬＥＤ光がＬＥＤから蛍光組立体に伝播するとき、そのＬＥＤ光は、広帯域反射板に達する前に蛍光層を通過する。広帯域反射板は、ＬＥＤ光とそれよりの長波長の蛍光の双方に対し、例えば少なくとも９０％の高度な反射率をもたらす。光源の出力は広帯域に及ぶものであり、蛍光体によって発光される光の少なくとも一部分と、ＬＥＤによって発光される光の少なくとも一部分とを含む。ＬＥＤ光に対する蛍光層の透明性又は透過性の程度は、例えば、照明システムの広帯域光出力を増加させるように、蛍光体濃度及び蛍光層の物理的厚さを適切に選択することによって調整され得る。そのような光出力の増加は実際に、蛍光層に使用される蛍光体の量を減少させることによって達成され得る。所望により、そのような増加はまた、広帯域光出力の白色を実質的に維持しながらも達成され得る。
【００１４】
いくつかの例において、光源はまた、ＬＥＤから蛍光組立体に向かう光の少なくとも一部を反射する二色性反射板を有してもよい。そのような例において、ＬＥＤ光の少なくとも一部は、ＬＥＤから二色性反射板へと伝播するときに、蛍光組立体又は蛍光層を通過しない。しかしながら、二色性反射板によって反射されたＬＥＤ光は次いで蛍光層に衝突し、それによって蛍光層はより長波長の蛍光を発光するようになる。蛍光は二色性反射板を通過して、光源の広帯域光出力を供給するかあるいはその広帯域光出力に寄与する。ＬＥＤ光の一部はまた、典型的には青色であり、同様の短波長をなすものであるが、光源の広帯域光出力に寄与するように、反射されずにむしろ二色性反射板を通過してもよい。
【００１５】
この関連で、「発光ダイオード」又は「ＬＥＤ」は、可視光線、紫外線、又は赤外線にかかわらず光を発光するダイオードを指すが、多数の実際的な実施形態において、その発光される光は、約４３０ｎｍ〜５３０ｎｍ、又は約４４０ｎｍ〜５００ｎｍ、又は約４４５ｎｍ〜４８０ｎｍの範囲にあるピーク波長を有する。ＬＥＤという用語は、通常のものかあるいは過放射性の変形形態かに関わらず、「ＬＥＤ」として市販されている非干渉性のケース入り又はカプセル化半導体装置を包含するだけでなく、限定するものではないが垂直共振器面発光レーザー（ＶＣＳＥＬ）を含めて、レーザーダイオードなどの干渉性の半導体装置をも包含する。「ＬＥＤダイ」は、最も基本的な形態をなす、即ち、半導体加工処理によって作製された個々の構成要素又はチップの形態をなすＬＥＤである。例えば、ＬＥＤダイは、１種類以上のＩＩＩ族元素の組み合わせ及び１種類以上のＶ族元素の組み合わせから形成されてもよい（ＩＩＩ〜Ｖ族半導体）。好適なＩＩＩ〜Ｖ族半導体材料の例には、窒化ガリウムなどの窒化物、及びリン化インジウムガリウムなどのリン化物が挙げられる。周期表の他の族の無機物質と同様に、他の種類のＩＩＩ〜Ｖ族材料もまた使用され得る。構成要素又はチップは、装置に給電するために、電力の印加に好適な電気接点を有し得る。例として、ワイヤボンディング、Ｔａｐｅ  Ａｕｔｏｍａｔｅｄ  Ｂｏｎｄｉｎｇ（ＴＡＢ）、又はフリップチップボンディングが挙げられる。構成要素又はチップの個々の層及び他の機能的要素は、典型的にはウエハ規模で形成され、完成したウエハは次いで、個々の小片部へとダイシングされて、多数のＬＥＤダイが生産され得る。ＬＥＤダイは、表面実装、チップオンボード、又は他の既知の実装構成用に構成され得る。いくつかのパッケージ型ＬＥＤは、ＬＥＤダイの上にポリマーカプセル材料及びそれに関連付けられる反射体カップとを形成することによって作製される。ＬＥＤは、いくつかの基板のいずれかの上に成長され得る。例えば、ＧａＮ  ＬＥＤは、サファイア、シリコン、及び窒化ガリウム上にエピタキシーによって成長され得る。この用途を目的とした「ＬＥＤ」はまた、一般的にＯＬＥＤと呼ばれる有機発光ダイオードを包含すると見なされるべきである。
【００１６】
図１ａに遠隔蛍光式広帯域光源１１０の概略図が示されており、この遠隔蛍光式広帯域光源１１０は、ＬＥＤ  １２０と、二色性反射板１１６と、蛍光材料の層１３２とを有している。ＬＥＤ  １２０は、比較的短波長の光１４１ａ、例えば主として青色光及び／又は紫外光を発するが、いくつかの例においては青色〜緑色光又は緑色光も用いられ得る。光１４１ａは、一次又は最強放射ピークを含めて、１つ以上のスペクトル発光ピークを、４００ｎｍ〜５００ｎｍの範囲に有し得る。ＬＥＤ光１４１ａは、蛍光層１３２を通過することなく、ＬＥＤ  １２０から二色性反射板１１６へと伝播する。以下で更に議論するように、二色性反射板１１６は、対象となる実質的にすべての光学波長に対して低い吸収率を有するように、短波長のＬＥＤ光に対しては高い反射率（そして低い透過率）を有するように、そして、より長い波長の蛍光に対してはより低い反射率（そしてより高い透過率）を有するように構成されている。ＬＥＤ光１４１ａはしたがって、反射板１１６によって強く反射されて、反射ＬＥＤ光１４１ｂを生成する。反射板１１６の形状、並びにＬＥＤ  １２０及び蛍光層１３２の位置は、反射ＬＥＤ光１４１ｂが図示のように蛍光層１３２に衝突するように選択される。二色性反射板１１６は、ＬＥＤ光１４１ａの一部を透過させて、透過ＬＥＤ光１４１ｃを供給してもよい。
【００１７】
蛍光層１３２は、入射ＬＥＤ光１４１ｂの一部又は全部を吸収し、吸収したエネルギーの一部を、ストークスシフトした（より長波長の）蛍光１４３ａとして再放射する。蛍光１４３ａは通常、蛍光材料によってすべての方向に放射され、そのような光は通常、以下で更に議論するように、それ自体で広帯域である。蛍光１４３ａの一部は、二色性反射板１１６に向かって伝播する。そのような光は、実質的に反射板１１６によって透過されて、透過蛍光１４３ｂを生成する。透過ＬＥＤ光１４１ｃと透過蛍光１４３ｂとの組み合わせにより、光源１１０の広帯域光出力が生成され得る。
【００１８】
二色性反射板１１６は、いくつかの例においては、レンズ部材の外部表面に適合してもよく、そのレンズ部材は図１ａには一般性のために示されていないが、本明細書の他の図には示されている。光線１４１ａそれぞれに対する透過光線１４１ｃの偏向は、ＬＥＤ光がレンズ材料から空気媒体又は同様の低屈折率媒体の中へと進むときのＬＥＤ光の屈折を表している。二色性反射板１１６及び外部レンズ表面（存在する場合）はしたがって、ＬＥＤ  １２０によって放射され反射板１１６によって反射された光が主に蛍光層１３２の上に誘導されるように、凹面状及び／又は曲線状の形状を有してもよい。二色性反射板は、レンズ部材の外部表面の実質的にすべてを被覆するように作製されてもよく、あるいは、レンズ部材の外部表面の面積の少なくとも５０％、７０％、又は８０％を被覆してもよい。
【００１９】
二色性反射板はまた、二色性ミラー又は二色性フィルタと呼ばれることもある。それらは、ある光学波長に対しては、高い反射率と低い透過率を有し、他の光学波長に対しては、低い反射率と高い透過率を有するように設計されている。そのような反射板は通常、少なくとも可視光、近赤外線、及び近紫外線の波長の全体にわたって、反射されないいかなる光が実質的に透過され、またその逆も同様となるように、無視できる吸収性を有する。そのような反射板は、典型的に、二酸化ケイ素と二酸化チタンとの交互層など、大きな屈折率の不整合を有する材料の交互配列をなす、光学的に薄いマイクロ層の積層体を備えるが、他の好適な無機又は有機材料が使用されてもよい。そのような反射板は、ガラス又は他の好適な基板上に、例えば直接、レンズ部材の外部表面上に、あるいはそのような表面に後に張り付けられ得るフィルム又は基板上に、交互層を真空蒸着することによって作製されてもよい。それに代わって、好適な反射フィルムが、ある連続プロセスによって作製され得るが、その連続プロセスは、例えば米国特許第５，８８２，７７４号及び同第６，７８３，３４９号に記載されているように、交互に並ぶポリマー材料を共押出しすること、そしてその結果として得られる多層ポリマーウェブを延伸することを含み得るものである。二色性反射板で使用される材料及び用いられる製造方法にかかわらず、本明細書の他の箇所で説明するように、反射板は、所望の反射特性を波長の関数としてもたらすように調整された、マイクロ層の積層体の層厚さ分布を与えられる。この点に関しては、米国特許第６，９６７，７７８号を参照する。厚さ分布は、例えば、ロングパスフィルタ又はノッチフィルタとして動作する二色性反射板が得られるように調整されてもよく、それにより、比較的長波長の蛍光は、ある範囲の入射角にわたって実質的に透過され、また比較的短波長のＬＥＤ光は大部分を反射される。二色性反射板は例えば、蛍光に対して、少なくとも５０％、又は少なくとも６０％、又は少なくとも７０％の透過率を有してよい。二色性反射板は、いくつかの例において、可視域の青色光を実質的に反射し、可視域の赤紫色光を実質的に透過させる。いくつかの例において、二色性反射板は、多層ミラーフィルム、反射偏光子、及び／又は所与の波長で直交偏光状態を様々に反射するミラーなどの部分偏光反射体であっても、それらを備えてもよい。
【００２０】
二色性反射板の反射及び透過特性は通常、反射板に衝突する光の入射角が変化するにつれて変化する。例えば、二色性反射板１１６は、反射板に垂直に入射するＬＥＤ光線と比較して、反射板に斜めに入射するＬＥＤ光線に対しては、より高い透過性を有し得る。この特性は、２０１１年５月１８日に出願された、本発明の譲受人に譲渡された係属中の米国特許出願第６１／４８７，４２３号で更に完全に議論されているように、レンズ組立体の下方に配列された複数のＬＥＤの相対駆動強度を制御することによって出力の色を調節され得る遠隔蛍光式固体光源を生産するために利用され得る。
【００２１】
蛍光層１３２は、吸収したＬＥＤ光に対してストークスシフトした光を蛍光発光するか、あるいは別様に発光する１種類以上の好適な蛍光材料を含有している。蛍光材料は好ましくは、ＬＥＤの発光スペクトルと波長が重なり合う範囲の光を吸収し、そのため、ＬＥＤは蛍光体を励起し、蛍光を発光させるかあるいは別様に発光させることができる。多くの例において、所与の蛍光材料が、電磁スペクトルのうちの紫外線、青色、及び／又は青色〜緑色の部分の光を吸収してもよく、また可視領域又は可視領域付近の光を発光してもよい。発光された蛍光は通常、例えば広帯域であり、少なくとも１００ナノメートルのスペクトル幅を有し得る。この広帯域の蛍光は、連続的な広帯域にて分布されてもよく、あるいは、離間した狭い輝線を収集した場合にはスパイク状の分布を有してもよく、あるいは、狭い輝線と連続的な広帯域との組み合わせであってもよい。例示的な蛍光材料には、既知の蛍光染料及び蛍光体が挙げられる。セリウム添加イットリウムアルミニウムガーネット（Ｃｅ：ＹＡＧ）が、使用され得る蛍光体の一例である。また、光源の設計詳細及び制約により、他の希土類添加ガーネット又は他の希土類添加材料、例えば、ユーロピウム及び／又はストロンチウム添加ケイ酸塩、窒化物、及びアルミン酸塩が好適となり得る。好適な蛍光材料には、ドープされた無機酸化物又は窒化物、量子ドット、並びにＩＩ〜ＶＩ族及びＩＩＩ〜Ｖ族材料を含む半導体など、有機及び無機の蛍光又は燐光材料が挙げられる。
【００２２】
典型的な蛍光の発光スペクトルが、図１ｂに曲線１６２として示されている。また、曲線１６０と記された典型的な青色ＬＥＤの発光スペクトルが示されている。これらの曲線は、典型的な成分を代表することを意図したものであり、必ずしも限定的となることを目指すものではない。図に示すように、所与のＬＥＤ／蛍光の対に対し、蛍光は一般に、ＬＥＤ光よりも長い波長で分布する。ＬＥＤ  １２０が青色光を発光し、二色性反射板１１６がこの光の一部を透過させる場合、蛍光層１３２は黄色の蛍光を発光するように調整されることができ、それにより、青色のＬＥＤ光と黄色の蛍光との組み合わせが名目上、白色光を与える。
【００２３】
図２は、遠隔蛍光式広帯域光源２１０の概略図であり、この遠隔蛍光式広帯域光源２１０は、単純な蛍光層１３２が蛍光ミラー組立体２３０で置換されていることを除いて、図１ａの光源１１０と同じであっても類似したものであってもよい。光源２１０はしたがって、ＬＥＤ  ２２０と、二色性反射板２１６と、蛍光ミラー組立体２３０とを有する。ＬＥＤ  ２２０は、比較的短波長の光２４１ａ、例えば主として青色光及び／又は紫外光を発光するが、いくつかの例においては青色〜緑色光又は緑色光が用いられてもよい。光２４１ａは、一次又は最強発光ピークを含めて、１つ以上のスペクトル発光ピークを、４００ｎｍ〜５００ｎｍの範囲に有し得る。ＬＥＤ光２４１ａは、蛍光層２３２を通過することなく、ＬＥＤ  ２２０から二色性反射板２１６へと伝播する。本明細書の他の箇所で議論したように、二色性反射板２１６は、対象となる実質的にすべての光学波長に対して低い吸収率を有するように、短波長のＬＥＤ光に対しては高い反射率（そして低い透過率）を有するように、そしてより長い波長の蛍光に対してはより低い反射率（そしてより高い透過率）を有するように構成されている。ＬＥＤ光２４１ａはしたがって、反射板２１６によって強く反射されて、反射ＬＥＤ光２４１ｂを生成する。反射板２１６の形状、並びにＬＥＤ  ２２０及び蛍光組立体２３０の位置は、反射ＬＥＤ光２４１ｂが図示のように蛍光組立体２３０に衝突するように選択される。二色性反射板２１６は、ＬＥＤ光２４１ａの一部を透過させて、透過ＬＥＤ光２４１ｃを供給してもよい。
【００２４】
蛍光組立体２３０は、広帯域反射板２３４に取り付けられた蛍光材料の層２３２を備えている。蛍光層２３２は、層２３２が層１３２よりも物理的及び／又は光学的に薄くてもよいことを除き、図１ａの蛍光層１３２と同じであっても類似していてもよい。例えば、層２３２は、層１３２と同じ、単位体積当たりの蛍光材料の濃度を有してもよいが、ＬＥＤ光２４１ｂの一部が蛍光層２３２を完全に貫通できるようにするために、物理的により薄いものであってもよい。それに代わって、層２３２は、層１３２と同じ物理的厚さを有してもよいが、ここでもＬＥＤ光２４１ｂの一部が蛍光層２３２を完全に貫通できるようにするために、層１３２よりも低い、単位体積当たりの蛍光材料の濃度を有してもよい。他の場合には、層２３２は、層１３２と比べて、物理的により薄く、かつより低い蛍光体濃度を有してもよい。いずれの場合にも、ＬＥＤ光２４１ｂの一部は蛍光層２３２に入射し、その光の一部は吸収され、蛍光２４３ａとして再発光される。ＬＥＤ光２４１ｂの残りは広帯域反射板２３４に到達し、再び蛍光層２３２へと反射される。この二重に反射したＬＥＤ光の一部は再び、蛍光層２３２によって吸収及び再発光され、その残りが、反射ＬＥＤ光２４１ｄとして層２３２から、また組立体２３０から出現する。蛍光２４３ａの一部、及び二重反射ＬＥＤ光２４１ｄの一部は、二色性反射板２１６に向かって伝播し得る。蛍光２４３ａは、実質的に反射板２１６によって透過されて、透過蛍光２４３ｂを生成する。二重反射ＬＥＤ光２４１ｄの一部はまた、透過ＬＥＤ光２４１ｃの量を増加させるために、反射板２１６によって透過されてもよい。透過ＬＥＤ光２４１ｃと透過蛍光２４３ｂとの組み合わせにより、光源２１０の広帯域出力光が生成され得る。ＬＥＤ  ２２０が青色光を発光し、二色性反射板２１６がこの光の一部を透過させる場合、蛍光層２３２は黄色の蛍光を発光するように調整されることができ、それにより、青色のＬＥＤ光と黄色の蛍光との組み合わせが名目上、白色光を与える。
【００２５】
蛍光組立体は、２枚程度の層、つまり蛍光層と広帯域反射層とを含んでもよく、あるいは更なる層を含んでもよい。例えば、蛍光組立体は、１枚以上の接着剤層と、スペーサ層と、構造層と、熱伝導層と、接合層と、剥離層とを含んでもよい。蛍光組立体に関する多種多様な構造が企図される。図３ａ及び３ｂは、そのような２つの構造を模式的に示している。図３ａにおいて、相当に簡潔な設計の蛍光組立体３３０が、広帯域反射板３３４に取り付けられた蛍光層３３２を備えている。図３ｂにおいて、より高度な設計の蛍光組立体３３１が、広帯域反射板３３６に取り付けられた蛍光層３３２を備えており、この組立体は、接着剤層３３３と、構造層３３７と、熱伝導層３３８とを更に備えている。熱伝導層３３８は、蛍光層３３５をより低い動作温度に維持するために、ヒートシンクに取り付けられ得る。好ましくは、光が、本明細書において蛍光組立体の「作用表面」と呼ばれる同じ表面を通じて、所与の蛍光組立体に進入し、そこから退出する。図３ａにおいて作用表面は表面３３２ａであり、図３ｂにおいて作用表面は表面３３３ａである。広帯域反射板は、図３ａ及び３ｂには、蛍光層に直接取り付けられているように示されているが、他の場合には、広帯域反射板は、１枚以上の中間層を通じて蛍光層に取り付けられてもよい。本明細書の他の箇所で説明したように、重要となり得る蛍光組立体の１つの設計パラメータが、蛍光層３３２、３３３の物理的厚さであり、これは図３ａ及び３ｂに「ｔ」と記されている。重要となり得る蛍光組立体の別の設計パラメータが、蛍光層中の蛍光材料の濃度である。蛍光ミラー組立体に含められ得る構成層の一部について、これからより詳細に議論することにする。
【００２６】
蛍光組立体の蛍光層は、１種類以上の蛍光体を分散させた光安定性及び熱安定性の結合剤から作られてもよい。結合剤は、例えばシリコーン及び／又はフルオロポリマーを含めたポリマーであってよく、また、シリコーン接着剤又はシリコーンジェルなどの接着剤又はジェルであってもよい。蛍光材料（蛍光体）は、混合されても、積層されても、パターン化されてもよく、あるいはこれらの構成の２つ以上の組み合わせをなしてもよい。コーティングの好適な手段には、ナイフコーティング、押出しコーティング、及びバーコーティングが挙げられる。パターンコーティングを施すための好適な手段には、グラビア、凹版、シルクスクリーン、及びインクジェットを含めて、印刷に利用されるものが挙げられる。１枚以上の蛍光層が、蛍光体の非パターン層上にパターン化されてもよく、あるいは種々の領域が主に１種類の蛍光体を有してもよい。例えば、赤色発光蛍光体と緑色発光蛍光体のピクセルパターンが使用されてもよく、ここで各ピクセルは、少なくとも１つの方向において、関連するＬＥＤ（その蛍光体を作用させるかあるいは励起する）の寸法ほどの大きさである。ピクセルパターンは、１次元の列又は２次元の格子の形態をなしてよい。再吸収の損失は、種々の蛍光体を空間的に分離することによって低減され得る。種々の蛍光体は、場合によっては、その横又は横断寸法が蛍光体含有層の厚さの約２倍〜２０倍の範囲にある領域へと分離されてよい。
【００２７】
蛍光組立体の広帯域反射板は、比較的短波長のＬＥＤ光とそれよりも長波長の蛍光の両方に対して高度な反射率を有する。したがって、厚さを減じられた蛍光層へのＬＥＤ光の吸収を高めるために、蛍光層を完全に貫いて伝播するいかなるＬＥＤ光が再び蛍光層へと反射され得る。更に、光源の全体的出力の蛍光成分を増加させるために、広帯域光源の出力端部から離れる方向に（また蛍光組立体の作用表面から離れる方向に）伝播するいかなる蛍光が広帯域反射板によって遮断され、方向変換されて再び蛍光層に通され得る。広帯域反射板は、鏡面反射板、拡散反射板、及び／又は半鏡面反射板（鏡面反射板と拡散反射板との組み合わせ）であっても、それらを備えてもよい。広帯域反射板は結合剤と顔料とを含んでもよく、また他の添加剤を含有してもよい。好適な結合剤には、蛍光層に関連して述べたものと同じ結合剤が挙げられる。広帯域反射板に使用される結合剤は、蛍光層に使用される結合剤と同じであっても異なってもよい。例示的な顔料には、アナターゼ又はルチルＴｉＯ２が挙げられる。好ましくは、ＴｉＯ２は、シリカなどのコーティングで不動態化される。他の添加剤には、熱伝導性を改善するための無機充填剤を挙げることができる。好適な充填剤には、アルミナ、窒化アルミニウム、窒化ボロン、及び／又はダイヤモンドが挙げられる。広帯域反射板中のそのような充填剤は、望ましくは、ＬＥＤ光及び蛍光の低い吸収度を有する。鏡面の特性を優勢に有する好適な広帯域反射板には、可視領域の全体にわたって９８％超の反射率を有する、スリーエム社（3M Company）によって市販されているビキュイティ（Vikuiti）（商標）Ｅｎｈａｎｃｅｄ  Ｓｐｅｃｕｌａｒ  Ｒｅｆｌｅｃｔｉｏｎ  Ｆｉｌｍ（ＥＳＲ）など、可視スペクトル全体にわたって高度な反射率が得られるように構成された多層光学フィルムが挙げられる。また、ナノ空洞ポリマー又は他のポリマー、ＭｇＦ２、ＴｉＯ２、ＳｉＯ２、Ａｌ２Ｏ３、及び／又はＺｒＯ２など、高屈折率及び低屈折率材料の光学的に薄い層から作られた他の誘電体コーティング反射板が使用されてもよい。アルミニウム被覆ポリマーフィルム又は銀被覆ポリマーフィルムなど、より単純な金属被覆フィルムが使用されてもよい。金属被覆の反射率は、例えば、ナノ空洞ポリマー又は他のポリマー、無機ナノ粒子充填ポリマー、ＭｇＦ２、ＴｉＯ２、ＳｉＯ２、Ａｌ２Ｏ３、及び／又はＺｒＯ２など、１種類以上の既知の誘電体被覆を加えることによって向上され得る。
【００２８】
また接着剤層が蛍光組立体に含められてもよい。接着剤層は好ましくは、ＬＥＤ光と蛍光の双方に対して、高い透過率と低い吸収率を有する。好適な接着剤層には、アクリレート及びシリコーンが挙げられる。接着剤は、熱又は放射線によって硬化され得る他の添加剤を含有してもよい。例えば、硬化されて永久的な結合を形成し得る感圧性接着剤を形成するために、熱硬化したエポキシが、Ｂ段階の硬化したアクリレートと混合されてもよい。接着剤はまた、熱で若しくは光分解で活性化された触媒を有するシリコーン樹脂のモノマーなどの硬化性の液体として塗布されてもよい。場合によっては、接着剤は、蛍光層とレンズ部材などの光源の別の構成要素との間に、実質的に永久的な結合をもたらし得る。他の場合には、接着剤は、除去可能な結合をもたらし得る。この点で、接着剤は、最終用途における良好な耐久性をもたらすように十分に高く、かつ蛍光層の１つ以上の部分を例えば打抜き及び剥離によって除去できるように十分に低い結合強度を有し得る。
【００２９】
また透明なスペーサ層が蛍光組立体に含められてもよい。そのような層は、組立体の作用表面に配設されてもよく、あるいは作用表面と蛍光層との間に配設されてもよい。スペーサ層は、以下の機能のうちの１つ以上を果たすように適合されることができ、つまり、スペーサ層は、蛍光層から放射された光の光学出力特性を変化させることができ、レンズ部材など、ある構成要素からは遠ざけて、また、熱伝導基板など、別の構成要素には近づけて蛍光層を変位又は位置決めさせることができ、かつ／又は、装置の輝度を増加させるために、レンズ部材と蛍光層との間に低屈折率層を設けることができる。好適な低屈折率被覆には、溶剤との組み合わせで硬化され、次いで乾燥されて低屈折率層を生成するフルオロポリマー、シリコーン、及び放射線硬化性材料が挙げられる。
【００３０】
また構造層が蛍光組立体に含められてもよい。構造層はこの点において、蛍光層のうちの構造層が接着されている部分に沿って機械的に（例えば剥離によって）除去され得るように、自立するものであり、十分に厚くかつ強い層を指す。除去の前に、構造層が、除去すべき部分から残存すべき部分を分離するために、刻み目を付けられるかあるいは切断されてもよく、ここで、レンズ部材の内部表面の各部分を選択的に露出させるために、除去すべき部分は、レンズ部材又は他の構成要素から、蛍光層の対応する部分と共に機械的に除去され得る。好適な構造層は、ポリエチレンテレフタレート又はポリエチレンナフタレート、フルオロポリマー、ポリエチレン、ポリプロピレン、及びシリコーンを含むポリエステルを含有する。構造層はまた、セルロース、合成繊維、及びセラミック又はガラス繊維などの材料を含有する、織物又はランダム繊維マットをなしてもよい。
【００３１】
また熱伝導層が蛍光組立体に含められてもよい。熱伝導層は、蛍光層が熱伝導層と組立体の作用表面との間に位するように、蛍光層の後方に配設され得る。熱伝導層は、蛍光層を低い動作温度に維持するために、熱伝導基板又はヒートシンクに接触するかあるいは別様に連結し得る。熱伝導層は、ポリマー層、特に、アルミナ、シリカ、窒化ホウ素、及び／又は窒化アルミニウムなど、適度な量の熱伝導性の粉末又は材料を充填されたものから作製され得る。ポリマー層は、シリコーン又はアクリレートなどのホモポリマーであっても、各ポリマーの混合物であっても、熱硬化したエポキシに放射線硬化したアクリレートを混合したものなど、Ｂ段階の硬化性材料であってもよい。
【００３２】
また結合層（既に議論した接着剤層５２５以外）が蛍光組立体に含められてもよい。例えば、そのような層同士の結合を向上させるために、下塗り層が、隣接する機能層の間に含められてもよい。
【００３３】
蛍光組立体のサンドイッチ構造における２枚以上の層の機能が、単一の層へと組み合わされ得る。例えば、接着剤層はまた、透明なスペーサ層として働いてもよい。それに代わってあるいはそれに加えて、単層として説明又は図示した層のいずれかが、蛍光組立体のサンドイッチ構造内に２枚以上のそのような別個の層を設けるために、分離又は複製され得る。更に、蛍光組立体は、例えば、高分子ベースフィルムを使用してロール形式で作製されてもよく、次いで、好適な寸法及び形状の各片が、特定の遠隔蛍光式照明システムに組み込むためにロールから切断されてもよい。組立体はしたがって、打抜き可能となるように作製され得る。
【００３４】
図４は、蛍光組立体４２９を組み込んだ広帯域光源４１０を示している。光源４１０は、デカルトｘ−ｙ−ｚ座標系の状況で示されている。光源４１０は基板４１２を有しており、基板４１２は、ヒートシンクであってもヒートシンクを備えてもよい。基板４１２は蛍光組立体４２９を支持しており、蛍光組立体４２９は、上部（作用）表面４２９ａと基準点４２９ｂとを有している。蛍光組立体４２９は、蛍光層と広帯域反射板とを具備しているが、本明細書の他の箇所で説明したように、他の層及び機構を具備してもよい。１８個のＬＥＤが、蛍光組立体の上にあるいは蛍光組立体に近接して配設されており、ＬＥＤは、６つの隣接するＬＥＤからなる楔形の群４３０、４３２、４３４の３つに配列されており、隣接するＬＥＤの各群は、基板の楔形領域に配設されている。ＬＥＤの３つの楔形の群の配置、及び、各群におけるＬＥＤの図示の個数及び方向は、考えられる多数の配置構成のうちの１つであり、限定する方式で解釈されるべきではない。例えば、楔形以外の形状も企図される。ＬＥＤはまた、以下で議論するように、各ＬＥＤからの光の大部分が蛍光体の非閉塞領域を優先的に照明するように、３つの楔以外の他の構成で配置されてもよく、かつ１個以上のＬＥＤが好適な場所に定置されてもよい。ＬＥＤは、明澄なポリマー若しくはガラス、又はレンズ部材を形成する他の好適な光透過性材料に封入されてもよく、あるいは、ＬＥＤは、レンズ部材の下部若しくは内部表面のすぐ下方に配設されてもよい。レンズ部材の上部又は外部表面は、二色性反射板４１６を張り付けることができかつそのような表面に形状に関して適合させることができるように、凹面状及び曲線状になっていてもよい。二色性反射板は、本明細書で説明する他の二色性反射板と同じであっても類似していてもよい。二色性反射板４１６の形状により、頂点４１６ａと、対称軸又は光学軸４１６ｂとが規定され得る。光学軸４１６ｂは光源４１０の光学軸と一致してもよく、基準点４２９ｂと頂点４１６ａを通過してもよい。
【００３５】
隣接するＬＥＤの群は、蛍光組立体４２９の非閉塞の楔形部分４４０、４４２、４４４によって、互いに分離されている。これに関連する「非閉塞」は、蛍光組立体４２９のうちの、実質的にＬＥＤが存在しない部分を指す。更に、隣接するＬＥＤの各群は、点４２９ｂから見て、蛍光組立体の非閉塞の楔形部分の１つに概ね対向する、基板の楔形領域にある。基板の楔形領域（例えば、ＬＥＤの楔形の群４３０が存在する領域）と、蛍光組立体のそれに対応する楔形部分（例えば部分４４０）との各対はまた、点４２９ｂに対して概ね対称であってもよい。光学軸４１６ｂが点４２９ｂを通過するように二色性反射板４１６を構成することにより、また二色性反射板の好適な曲率半径を選択することにより、隣接するＬＥＤの各楔形の群からのＬＥＤ光のうちの、二色性反射板によって反射された部分は、（少なくともおおよそ）蛍光組立体のそれに対応する楔形部分の上に映写され得る。
【００３６】
非閉塞部分４４０、４４２、４４４の付近で、蛍光組立体は、直接、レンズ部材の下部又は内部表面に接着されてもよく、その内部表面は実質的に平坦であってもよい。また、別の実施形態において、蛍光組立体は３つの楔形の片へと切断（例えば打抜き）されてもよいが、それら３つの楔形の片は、３つの非閉塞部分４４０、４４２、４４４と整列されるものであり、レンズ要素の内部表面に接合され得るものである。そのような場合、蛍光組立体がＬＥＤの下方に存在しなくてもよく、またＬＥＤは直接、基板４１２と接触してもよい。
【００３７】
３つのＬＥＤ群の各々にある隣接するＬＥＤは、（ｘ−ｙ平面に平行に測定して）点４２９ｂからの及び／又は光学軸４１６ｂからの半径方向距離の異なるところに配列されている。例えば、図示の配列において、各群のうち１個のＬＥＤが軸４１６ｂに最も接近して配設され、各群のうち３個のＬＥＤが軸４１６ｂから最も離れて配設され、各群のうち２個のＬＥＤが、軸４１６ｂからの中間的な距離に配設されている。所望により、光源４１０の広帯域出力の色を調節又は制御するために、そのようなＬＥＤの配列が、その反射及び透過特性が入射角の関数として変化する二色性反射板４１６と組み合わせて利用され得る。出力される色は、２０１１年５月１８日に出願された、本発明の譲受人に譲渡されている係属中の米国特許出願第６１／４８７，４２３号で更に詳しく議論されているように、レンズ部材の下方に配列された様々なＬＥＤの相対的駆動強度を制御することによって調節され得る。
【００３８】
図５は、広帯域光源５１０の一部分の概略的な頂面又は平面図を示しており、この広帯域光源５１０は光源４１０と同じであっても類似していてもよい。デカルトｘ−ｙ−ｚ座標系に対して描写された光源５１０において、蛍光組立体及び／又は基板は、６つの楔形領域又は部分に分割されており、こられの楔形領域又は部分のうちの対向する対は互いに対して実質的に合同であってもよい。蛍光組立体は、本明細書の他の箇所で説明した蛍光組立体と同じであっても類似していてもよい。１８個のＬＥＤが、図４に示すものと類似した方式で基板又は蛍光組立体上に配列されており、すなわち、隣接する６個のＬＥＤからなる楔形の群５３０、５３２、５３４の３つにおいて、隣接するＬＥＤの各群は、基板の楔形領域のうちの１つに配設されている。ＬＥＤのこれらの群の各々は、装置の中央に示す中心点（符号なし）から見て、蛍光組立体の非閉塞の楔形部分の反対側に配列されている。したがって、ＬＥＤ群５３０は、蛍光組立体の楔形部分５４０の反対側に配列されており、ＬＥＤ群５３２は、蛍光組立体の楔形部分５４２の反対側に配列されており、ＬＥＤ群５３４は、蛍光組立体の楔形部分５４４の反対側に配列されている。例示的な実施形態において、図５に示す光源の一部分を部分的にあるいは完全に被覆するために、凹形の二色性反射板が設けられてもよい。二色性反射板は、本明細書の他の箇所で議論した二色性反射板と同じであっても類似していてもよいが、光透過性のカプセル材料又はレンズ部材の表面上に配設されてもよく、また、ｚ軸に平行でありかつ中心点（符号なし）を通過する対称軸又は光学軸を有してもよい。そのような反射板は、様々なＬＥＤからの光の少なくとも一部を、蛍光組立体のうちの選択された部分の上に反射することができ、その結果、種々のＬＥＤが、蛍光組立体内の蛍光層の種々の部分を主として励起する。蛍光組立体の各部分５４０、５４２、５４４が、中心点からの半径方向距離の異なるところに小部分を備える、すなわち、部分５４０が小部分５４０−１、５４０−２、５４０−３、５４０−４を備え、部分５４２が小部分５４２−１、５４２−２、５４２−３、５４２−４を備え、部分５４４が小部分５４４−１、５４４−２、５４４−３、５４４−４を備えると見なす場合、二色性反射板は、以下のように、様々なＬＥＤからのＬＥＤ光を様々な蛍光組立体の上に優先的に反射させることができる。
【００３９】
ＬＥＤ  ５２１ａからの光は蛍光小部分５４０−２の上に、
ＬＥＤ  ５２２ａ、５２３ａからの光は蛍光小部分５４０−３の上に、
ＬＥＤ  ５２４ａ、５２５ａ、５２６ａからの光は蛍光小部分５４０−４の上に、
ＬＥＤ  ５２１ｂからの光は蛍光小部分５４２−２の上に、
ＬＥＤ  ５２２ｂ、５２３ｂからの光は蛍光小部分５４２−３の上に、
ＬＥＤ  ５２４ｂ、５２５ｂ、５２６ｂからの光は蛍光小部分５４２−４の上に、
ＬＥＤ  ５２１ｃからの光は蛍光小部分５４４−２の上に、
ＬＥＤ  ５２２ｃ、５２３ｃからの光は蛍光小部分５４４−３の上に、
ＬＥＤ  ５２４ｃ、５２５ｃ、５２６ｃからの光は蛍光小部分５４４−４の上に反射される。
【００４０】
読者に留意されたいこととして、ＬＥＤ光の優先的反射は、所与のＬＥＤからの反射ＬＥＤ光のすべてが指定の蛍光小部分に衝突することが要求されるほど狭く解釈されるべきではなく、また、そのようなＬＥＤからの一部の反射ＬＥＤ光が、他の蛍光小部分に、かつ／又は他のＬＥＤ若しくは光源の他の要素に衝突してもよい。
【００４１】
光源５１０の一実施形態において、１８個すべてのＬＥＤが、同じＬＥＤ発光スペクトルに従ってＬＥＤ光を発光してもよく、蛍光層は、蛍光層の組成及び構造が、楔形部分５４０、５４２、５４４の全体を通じて、またそれらの間で同じとなるような、一様な組成及び構造をなしてもよい。光源５１０からの全体的な広帯域発光の色は、近距離、中距離、及び遠距離ＬＥＤの小群が給電される相対的な程度を制御することによって、制御又は調節されてもよい。光源５１０の別の実施形態において、種々のＬＥＤに関連付けられる蛍光組立体の各部分に種々の組成及び／又は構造を利用することによって、種々の色が種々の広帯域光部分に対して達成され得る。例えば、ＬＥＤ群５３０の６個のＬＥＤによって励起される、蛍光組立体の楔形部分５４０が、部分５４２及び／又は５４４の蛍光組立体と比べて、異なる組成及び／又は構造を有してもよい。光源からの全体的な広帯域発光の色は次いで、隣接するＬＥＤの１つの群（例えばＬＥＤ群５３０）が、隣接するＬＥＤの他の群（例えばＬＥＤ群５３２、５３４）と比較して給電される相対的な程度を制御又は調節することによって、制御又は調節されてもよい。それに加えてあるいはそれに代わって、蛍光組立体の楔形部分５４０、５４２、５４４のうちの１つ、一部、又はすべてが、二色性反射板の光学軸又は中心点（符号なし）からの種々の半径方向距離で異なる組成及び／又は構造を有してもよい。凹面形の二色性反射板の撮像特性により、隣接するＬＥＤの各群にある１個の近距離ＬＥＤからなる小群は、蛍光組立体の楔形部分のうち中心点に最も近い部分を優先的に励起する傾向があり、隣接するＬＥＤの各群にある２個の中距離ＬＥＤからなる小群は、蛍光組立体の楔形部分のうち中間部分を優先的に励起する傾向があり、隣接するＬＥＤの各群にある３個の遠距離ＬＥＤの小群は、蛍光組立体の楔形部分のうち中心点に最も遠い部分を優先的に励起する傾向がある。したがって、近距離ＬＥＤ、中距離ＬＥＤ、及び遠距離ＬＥＤの小群が給電される相対的な程度を調節又は制御することによって、光源５１０からの全体的な広帯域発光の色温度を制御又は調節するために、半径方向に変動する蛍光層が利用され得る。光源５１０の更に別の実施形態において、種々の発光スペクトルを有する個別のＬＥＤを選択し、次いで、種々の発光特性のＬＥＤが給電される相対的な程度を制御又は調節することによって、種々の色が種々の広帯域光部分に対して達成され得る。
【００４２】
図６は、別の例示的な広帯域光源６１０の概略的側面又は断面図であり、この広帯域光源６１０は光源４１０及び５１０と同じであっても類似していてもよい。デカルトｘ−ｙ−ｚ座標系に対して描画されている光源６１０において、ＬＥＤ  ６２１ａ、６２２ａ、６２５ａ、６２１ｃ、６２２ｃ、６２４ｃは、蛍光層６２９の主表面６２９ａ上に配設されており、この蛍光層６２９は反射基板６１８上に配設されている。蛍光層６２９及び反射基板６１８は、ＬＥＤ光と蛍光の両方を強く反射するものであり、蛍光組立体を形成している。ＬＥＤは第１の封入部材６１７に封入されており、その上に第２の封入部材又はレンズ部材６１４が形成されている。第１及び第２の封入部材は、異なる光透過性材料、例えば異なる透明なポリマー材料から構成されてもよいが、他の実施形態において、第１及び第２の封入部材は、各部材が一体的な構成要素を形成するように、同じ材料から作製されてもよい。第２の部材６１４は、第１の部材６１７と接触する、平坦な下部又は内部表面６１４ａを有するように示されている。第２の部材はまた、二色性反射板６１６が上に形成される、曲線状の上部又は外部表面を有している。曲線状の外部表面の、及び二色性反射板６１６の凹面形状は、対称軸又は光学軸６１６ｂを規定しており、この対称軸又は光学軸６１６ｂは、二色性反射板の頂点６１６ａを通過し、蛍光層６２９の表面６２９ａ上の中心点６２９ｂを通過している。
【００４３】
第１の部材６１７は、接着剤の層であっても、接着剤の層を備えてもよく、その接着剤の層は、任意選択によって内部表面６１４ａに結合され、表面６１４ａと６２９ａとの間の空間に充填されるものである。部材６１７はまた、ガス入りの空洞を収容したポリマー層などの低屈折率材料であっても、そのような低屈折率材料を備えてもよく、その空洞は約５０ｎｍ〜約４００ｎｍの範囲の直径を有するものである。空洞を持つポリマーは、溶媒を含有するモノマーを硬化させ、硬化後に溶媒を除去することによって作製されてもよい。例えば、国際公開第２０１１／０８８１６６１号を参照されたい。他の実施形態において、部材６１７は、表面６１４ａと６２９ａとの間の空気入りの間隙であっても、そのような間隙を備えてもよい。
【００４４】
図６の図形は、表面６２９ａ上におけるＬＥＤの配列又は配置に関する完全な情報を与えるものではない。一実施形態において、ＬＥＤは、図４及び５に示すものと同様に、楔形領域において互いに群化され得る。例えば、ＬＥＤ  ６２１ａ、６２２ａ、６２５ａは、図５のＬＥＤ  ５２１ａ、５２２ａ、５２３ａ、５２４ａ、５２５ａ、５２６ａと同様に、６個の隣接するＬＥＤからなる群のうちの３個のＬＥＤであってもよく、ＬＥＤ  ６２１ｃ、６２２ｃ、６２４ｃは、図５の５２１ｃ、５２２ｃ、５２３ｃ、５２４ｃ、５２５ｃ、５２６ｃと同様に、６個の隣接するＬＥＤからなる群のうちの３個のＬＥＤであってもよい。それに代わって、所与のＬＥＤからの光が二色性反射板６１６によって、蛍光表面６２９ａのうちの、他のＬＥＤによって実質的に遮断されていない部分に反射されるように、ＬＥＤは、任意の他の配列で、隣接するＬＥＤの群をなして、あるいは分散又は離間した配列をなして、あるいは隣接するＬＥＤと分散するＬＥＤとの組み合わせをなして、表面６２９ａ上に定置されてよい。いずれの場合にも、光がこれらＬＥＤのうちの１つ、一部、又はすべてから二色性反射板へと伝播するとき、その光は蛍光層を通過しない。ＬＥＤは、簡潔にするため図示されないリード線、ワイヤボンディング、又は他の導電要素によって、制御器に接続され得る。
【００４５】
蛍光層は、本明細書の他の箇所で説明した蛍光層と同じであっても類似していてもよく、また、本明細書の他の箇所で説明した１種類以上の蛍光材料を含んでもよい。一実施形態において、蛍光層は、多数の蛍光粒子が分散された透明なポリマーの層であっても、そのようなポリマーの層を備えてもよい。蛍光層６２９は厚さｔ３を有すると想定されるが、その厚さｔ３は、層６２９が部分的に光透過性となるように十分に薄いものであり、その結果、少なくとも一部の反射ＬＥＤ光が層６２９を完全に貫いて伝播し、反射基板６１８に突き当たる。反射基板によって反射されたＬＥＤ光は次いで、別の機会に蛍光材料に吸収されるように、再び蛍光層６２９を貫いて伝播し得る。
【００４６】
光源６１０は、本明細書で、あるいは本明細書の他の箇所で参照される、本発明の譲受人に譲渡された米国特許出願第６１／４８７，４２３号で議論されている技術のいずれかを利用して、異なる色を有する複数の広帯域光部分から構成された全体的な広帯域発光をもたらすように構成され得る。
【００４７】
図７は、別の遠隔蛍光式広帯域光源７１０の概略図を示している。光源７１０は、白色光などの広帯域光を出力アパーチャ又は表面７１５から発光する。光源７１０は、ＬＥＤ  ７２０と、反射板７１６と、蛍光ミラー組立体７３０とを有している。ＬＥＤ  ７２０は、本明細書の他の箇所で議論したように、比較的短波長の光７４１ａを発光する。ＬＥＤ  ７２０は、光透過性基板又はその光透過性基板を反射板７１６に連結する１本以上の支持梁など、任意の好適な支持構造（図示せず）を使用して、定位置に保持され得る。ＬＥＤ光の一部は、蛍光組立体７３０に突き当たる前に反射板７１６によって反射され得るが（光７４１ｂを参照）、他のＬＥＤ光は直接、蛍光組立体７３０へと移動し得る。反射板７１６は、任意の所望のレベルの反射率を有してよいが、好ましくは、ＬＥＤ光と蛍光の双方に対して高い反射率を有する。反射板７１６は、鏡面反射板、拡散反射板、及び／又は半鏡面反射板（鏡面反射板と拡散反射板との組み合わせ）であっても、それらを備えてもよい。場合によっては、反射板７１６は、本明細書で説明した広帯域反射板のうちのいずれと同じであっても類似していてもよい。場合によっては、ＬＥＤ  ７２０は、あるＬＥＤ光を概ね蛍光組立体７３０に向かって発光し、他のＬＥＤ光を概ね出力表面７１５に向かって発光するように、双方向性であってもよい。
【００４８】
蛍光組立体７３０は、本明細書で説明した他の蛍光ミラー組立体と同じであっても類似していてもよい。したがって、組立体７３０は、少なくとも、広帯域反射板７３４に取り付けられた蛍光材料の層７３２を備える。ＬＥＤ光の一部は、直接的に、あるいは反射板７１６からの反射によって間接的に、蛍光層７３２に衝突し、その光の一部が吸収され、蛍光７４３ａとして再発光される。蛍光層７３２に衝突したＬＥＤ光の残りは広帯域反射板７３４に到達し、再び蛍光層７３２へと反射される。この反射ＬＥＤ光の一部は更にまた、蛍光層７３２によって吸収及び再発光され、その残りが、反射ＬＥＤ光７４１ｃとして層７３２から、また組立体７３０から出現する。蛍光７４３ａの一部、及び反射ＬＥＤ光７４１ｃの一部は、反射板７１６からゼロ回、又は１回、又は複数回反射された後、光源７１０の出力表面７１５から出現する。出現するＬＥＤ光と出現する蛍光とが組み合わさって、光源７１０の広帯域出力光が与えられる。ＬＥＤ  ７２０が青色光を発光する場合、青色ＬＥＤ光と黄色蛍光との組み合わせによって、名目上、白色光を与えるように、蛍光層７３２は黄色蛍光を発光するように調整され得る。
【００４９】
図１２は、温白色光出力を効率的に与える、別の例示的な広帯域光源８１０の概略的な側面又は断面図である。デカルトｘ−ｙ−ｚ座標系に対して描画されている光源８１０において、ＬＥＤ  ８２１ａ、８２２ａ、８２５ａ、８２１ｃ、８２２ｃ、８２４ｃは、蛍光層８２９の主表面８２９ａ上に配設されており、この蛍光層８２９は反射基板８１８上に配設されている。蛍光層８２９及び反射基板８１８は、ＬＥＤ光と蛍光の両方を強く反射するものであり、蛍光組立体を形成している。ＬＥＤは第１の封入部材８１７に封入されており、その上に第２の封入部材又はレンズ部材８１４が形成されている。第１及び第２の封入部材は、異なる光透過性材料、例えば異なる透明なポリマー材料から構成されてもよいが、他の実施形態において、第１及び第２の封入部材は、各部材が一体的な構成要素を形成するように、同じ材料から作製されてもよい。第２の部材８１４は、第１の部材８１７と接触する、平坦な下部又は内部表面８１４ａを有するように示されている。第２の部材はまた、二色性反射板８１６が上に形成される、曲線状の上部又は外部表面を有している。曲線状の外部表面の、及び二色性反射板６１６の凹面形状は、対称軸又は光学軸８１６ｂを規定しており、この対称軸又は光学軸８１６ｂは、二色性反射板の頂点８１６ａを通過し、蛍光層８２９の表面８２９ａ上の中心点８２９ｂを通過している。
【００５０】
第１の部材８１７は、接着剤の層であっても、接着剤の層を備えてもよく、その接着剤の層は、任意選択によって内部表面８１４ａに結合され、表面８１４ａと８２９ａとの間の空間に充填されるものである。部材８１７はまた、ガス入りの空洞を収容したポリマー層などの低屈折率材料であっても、そのような低屈折率材料を備えてもよく、その空洞は約５０ｎｍ〜約４００ｎｍの範囲の直径を有するものである。空洞を持つポリマーは、溶媒を含有するモノマーを硬化させ、硬化後に溶媒を除去することによって作製されてもよい。例えば、国際公開第２０１１／０８８１６６１号を参照されたい。他の実施形態において、部材８１７は、表面８１４ａと８２９ａとの間の空気入りの間隙であっても、そのような間隙を備えてもよい。
【００５１】
図１２の図形は、表面８２９ａ上におけるＬＥＤの配列又は配置に関する完全な情報を与えるものではない。一実施形態において、ＬＥＤは、図４及び５に示すものと同様に、楔形領域において互いに群化され得る。例えば、ＬＥＤ  ８２１ａ、８２２ａ、８２５ａは、図５のＬＥＤ  ５２１ａ、５２２ａ、５２３ａ、５２４ａ、５２５ａ、５２６ａと同様に、６個の隣接するＬＥＤからなる群のうちの３個のＬＥＤであってもよく、ＬＥＤ  ８２１ｃ、８２２ｃ、８２４ｃは、図５のＬＥＤ  ５２１ｃ、５２２ｃ、５２３ｃ、５２４ｃ、５２５ｃ、５２６ｃと同様に、６個の隣接するＬＥＤからなる群のうちの３個のＬＥＤであってもよい。それに代わって、所与のＬＥＤからの光が二色性反射板８１６によって、蛍光表面８２９ａのうちの、他のＬＥＤによって実質的に遮断されていない部分に反射されるように、ＬＥＤは、任意の他の配列で、隣接するＬＥＤの群をなして、あるいは分散又は離間した配列をなして、あるいは隣接するＬＥＤと分散するＬＥＤとの組み合わせをなして、表面８２９ａ上に定置されてよい。いずれの場合にも、光がこれらＬＥＤのうちの１つ、一部、又はすべてから二色性反射板へと伝播するとき、その光は蛍光層を通過しない。ＬＥＤは、簡潔にするため図示されないリード線、ワイヤボンディング、又は他の導電要素によって、制御器に接続され得る。
【００５２】
この態様において、蛍光層は、本明細書の他の箇所で説明した蛍光層と同じか類似した方式で配列され得る。この態様において、蛍光層８２９は、反射基板８１８の大部分を覆って配設された緑色発光蛍光体を含んでもよく、ここで一実施形態において、蛍光層は、多量の蛍光粒子が分散された透明なポリマーの層であってもそのような層を備えてもよい。好適な緑色発光蛍光体が、例えば、インテマティクス社（Intermatix）及びフォスファーテック社（Phosphortech）から入手可能である。
【００５３】
緑色発光蛍光体の使用に伴って、ＬＥＤは、青色ＬＥＤと赤色ＬＥＤとの組み合わせに群化され得るが、ＬＥＤ  ８２１ａ、８２２ａ、８２５ａ、８２１ｃ、８２２ｃ、８２４ｃのうちの少なくとも１つが赤色ＬＥＤをなし、緑色ＬＥＤは除かれ得る。このようにして、青色ＬＥＤは、二色性反射板８１６によって蛍光層の上に相当に反射される青色光を発光し、その青色光のうちの少量（約１０％ほど）が二色性反射板８１６を透過する。赤色ＬＥＤは、直接二色性反射板８１６を通過する光を発光する。蛍光層によって生成された緑色光もまた二色性反射板８１６を透過し、したがって、白色光を生じるＲＧＢ混色に温白色の特性が与えられる。
【００５４】
更に別の態様において、ＬＥＤは、青色ＬＥＤと少なくとも１個の赤色ＬＥＤとの組み合わせに群化され得るが、ここで赤色ＬＥＤは、中心点８２９ｂなど、表面８２９ａの中央に配設され得る。ＬＥＤ  ８２１ａ、８２２ａ、８２５ａ、８２１ｃ、８２２ｃ、８２４ｃは、利用される蛍光体の種類に応じて、青色ＬＥＤか又は青色と緑色のＬＥＤとの組み合わせを構成し得る。
【００５５】
これまでの実施形態のうちの少なくともいくつかと同様に、蛍光層８２９は厚さｔ３を有すると想定されるが、その厚さｔ３は、層８２９が部分的に光透過性となるように十分に薄いものであり、その結果、少なくとも一部の反射ＬＥＤ光が層８２９を完全に貫いて伝播し、反射基板８１８に突き当たる。反射基板によって反射されたＬＥＤ光は次いで、別の機会に蛍光材料に吸収されるように、再び蛍光層８２９を貫いて伝播し得る。
【００５６】
光源８１０は、より温かい光出力を与えるように構成されてもよい。通常の遠隔蛍光式システムとは異なり、赤色光は、蛍光体を通過するかあるいは蛍光体から反射されることで通常は生じる損失を伴うことなく、システムによって直接発光される。
【００５７】
モデル化された例
図６に示すものに類似した広帯域光源を、光学設計ソフトウェアを用いてモデル化した。モデル化した設計は、図５の平面図に十分に示すように、６個の隣接するＬＥＤからなる群、３つに分けて配列された１８個のＬＥＤを光源が利用すると想定されるものであった。１８個すべてのＬＥＤは、同一の物理及び光学特性を有すると想定されるものであった。各ＬＥＤは、平面図で正方形の形状を有する、寸法１ｍｍ×１ｍｍ、厚さ１０マイクロメートル（図６の寸法ｔ１を参照）のサファイア上窒化ガリウム（ＧａＮ／サファイア）ＬＥＤダイであると想定されるものであった。各ＬＥＤの裏面又は背面の正方形表面は、すべての波長で５０％の反射率を有すると想定されるものであった。各ＬＥＤダイは、４５５ｎｍのピーク波長と、半値全幅（ＦＷＨＭ）として１５ｍｍのスペクトル幅を有する発光バンドにおいて、青色光を発光すると想定されるものであった。この青色ＬＥＤ光が、図８に正規化パワーのスケールで曲線８１６としてプロットされている。図８のグラフはまた、以下で更に議論する、モデル化された二色性反射板の、種々の入射角に対するスペクトル反射率を示している。
【００５８】
ＬＥＤは、１．４１の屈折率と４９マイクロメートルの物理的厚さ（図６の寸法ｔ２を参照）を有するシリコーンの母材に浸漬されると想定されるものであった。シリコーンの層の上に、図６の要素６１４に対応する、屈折率１．５の半球形レンズがあり、これはＳｃｈｏｔｔ（商標）ＢＫ７ガラスとしてシミュレートしたものである。半球形レンズは、７．５ｍｍの曲率半径と、図６に示すような頂点及び対称軸とを有すると想定されるものであった。
【００５９】
半球形レンズの曲線状外部表面全体を、二色性反射板が被覆していた。反射板は、６枚の層の組又は「光学的反復単位」を形成するように、二酸化チタン（ＴｉＯ２）の６枚のミクロ層を介挿された、二酸化ケイ素（ＳｉＯ２）の６枚のミクロ層を有すると想定されるものであった。これらの層の組の厚さ分布を、図８に示すスペクトル反射率が得られるように適合させた。曲線８１０は、０度の入射角（すなわち垂直入射）における二色性反射板の反射率である。曲線８１２は、２０度の入射角における平均反射率であり、ここで「平均」とは、ｓ偏光した光とｐ偏光した光の平均を指す。曲線８１４は同様に、４０度の入射角における二色性反射板の平均反射率である。この段落で言及した入射角は、半球形レンズの媒質中で、すなわち屈折率１．５の媒質中で測定した入射角である。二色性反射板は、吸収性を持たないと想定されるものであり、したがって、二色性反射板の透過パーセント（又は平均透過パーセント）は、いかなる入射角及び波長に対しても、１００％から反射パーセント（又は平均反射パーセント）を引いたものとして容易に算出され得る。
【００６０】
図８のグラフから分かるように、二色性反射板は、様々なＬＥＤからの光が二色性反射板に衝突する、少なくとも幾分かの入射角に対して、波長においてある程度までＬＥＤのスペクトル発光と重なるバンド端又はスペクトル遷移域を有する。この点において、蛍光層の表面上におけるＬＥＤの配列の結果として、様々なＬＥＤが、様々な入射角で二色性反射板に衝突する光を発光するが、これは特に、一部のＬＥＤ（例えば、図５のＬＥＤ  ５２１ａ、５２１ｂ、及び５２１ｃを参照）は二色性反射板の光学軸に対して比較的短い半径方向距離をおいて配設され、他のＬＥＤ（図５のＬＥＤ  ５２４ａ、５２５ａ、５２６ａ、５２４ｂ、５２５ｂ、５２６ｂ、５２４ｃ、５２５ｃ、及び５２６ｃを参照）は光学軸に対して比較的長い半径方向距離をおいて配設されているという事実によるものである。図５のＬＥＤ  ５２１ａ、５２１ｂ、５２１ｃに対応するモデル化されたＬＥＤは、例えば、約０度〜１２度の範囲に及ぶ入射角で、モデル化された二色性反射板に衝突する光を発光する。他方で、図５のＬＥＤ  ５２４ａ、５２６ａ、５２４ｂ、５２６ｂ、５２４ｃ、及び５２６ｃに対応するモデル化されたＬＥＤは、約０度〜３１度の範囲に及ぶ入射角で、モデル化された二色性反射板に衝突する光を発光する。この段落で言及した入射角は、半球形レンズの媒質中で、すなわち屈折率１．５の媒質中で測定した入射角である。
【００６１】
モデル化された蛍光層は、その全域にわたって組成と構造が一様であったが、Ｃｅ：ＹＡＧ蛍光体の直径１５マイクロメートルの球形粒子が屈折率１．８の透明材料中に一様に分布していると想定するものであった。Ｃｅ：ＹＡＧは、青色及び紫外光を吸収し、比較的滑らかな発光帯にて発光するが、その発光帯は広帯域であり、黄色の外観を有するものである。黄色蛍光は、適量の青色ＬＥＤ光と組み合わされると、名目上は白色光を生成する。蛍光層の物理的厚さ（図６のｔ３を参照）は、１００マイクロメートルと想定されるものであった。粒子の濃度（蛍光体濃度）はこのモデルでは不定であり、１立方ミリメートル当たり５，０００個〜１立方ミリメートル当たり３０，０００個の粒子の範囲内で選択され得るものであった。
【００６２】
モデル化された広帯域反射板（図６の要素６１８を参照）は、同様にこのモデルでは不定である反射率を有すると想定されるものであった。その反射率は、可視波長域全体にわたって一様であると想定された。
【００６３】
図９のモデリング結果は、蛍光層６２９を通じた垂直入射ＬＥＤ光の単光路透過率を、蛍光層における蛍光体濃度又は粒子密度の関数として算出したものを示している。予想されるように、透過率は、蛍光体濃度の増加に伴って低下している。１立方ミリメートル当たり５，０００個の蛍光体粒子密度に対しては、透過率は約６５％となる。１立方ミリメートル当たり３０，０００個の蛍光体粒子密度に対しては、透過率は約２０％となる。
【００６４】
図１０は、モデル化された遠隔蛍光式広帯域光源からの総発光量（すなわち、この遠隔蛍光式広帯域光源から発光された総光電力）を、蛍光体濃度の関数として、また広帯域反射板の反射率の関数として算出したものを示している。総光電力は、二色性反射板によって透過されたＬＥＤ光に起因する光電力と、二色性反射板によって透過された蛍光に起因する光電力との合計である。曲線１０１０、１０１２、１０１４、１０１６はそれぞれ、８０％、９０％、９４％、及び９８％の広帯域反射板６１８の反射率に対応している。これらの反射率の値は、すべての波長に対して一様であると想定されている。
【００６５】
図１０の曲線に関して、幾分かの観察がなされ得る。曲線が呈する進行から示唆されることとして、約８０％以下の広帯域反射板の反射率に対して、総出力電力は、蛍光体濃度の上昇と共に単調に増加しているように見え、非常に高い蛍光体濃度に対しては最大の漸近値に近づいている。しかしながら、対照的に、少なくとも広帯域反射率が９０％以上である場合、総電力は、漸近値よりも高い最大又はピーク値を呈し、このピーク値は、中程度から低度な蛍光体の濃度に対して達成される。したがって、本発明者らが見出したこととして、いくつかの条件下で、遠隔蛍光式広帯域光源の総出力電力は、蛍光組立体の蛍光層における蛍光体の量を低減することによって、実際に増加され得る。この観察結果は、蛍光材料を節約すると同時に広帯域光源の総光出力を増強するために、光源の製造業者によって役立てられ得る。図９と１０との比較により明らかとなることとして、特に着目される設計空間は、蛍光層を貫くＬＥＤ光の単光路透過率Ｔが３０％〜６５％、又は３５％〜６０％、又は４０％〜５０％の範囲内にあるときに生じる。留意されたいこととして、これらの透過率の範囲は、一定の厚さの蛍光層において蛍光体の濃度を調節することによって、又は、蛍光体濃度を一定にして蛍光層の厚さを調節することによって、又は、蛍光層の厚さと蛍光体濃度の両方を調節することによって達成され得る。広帯域反射板は望ましくは、少なくとも９０％、又は９４％、又は９８％の反射率を有する。
【００６６】
蛍光体濃度が１立方ミリメートル当たり５，０００個〜３０，０００個の粒子へと増加するとき、総出力光のうち蛍光に関連付けられる割合は増加し、総出力光のうちＬＥＤ光に関連付けられる割合は減少すると予想される。したがって、モデリング結果に関して言えば、ＬＥＤ光と蛍光との相対的な混合比が、蛍光体濃度の関数として変化すると予想される。このことを鑑みて、図１０の曲線によって呈される最大出力電力が白色光に対応するのか、あるいはそれに代わって、普通の観察者には白色として認識されない光、例えば過度に青色の又は過度に黄色の光に対応するのかという疑問が生じ得る。図１１のモデリング結果が、この疑問に答えるのに役立つ。図１１は、モデル化された光源の総広帯域光出力に対して、ＣＩＥ色度のｘ及びｙ座標をプロットしたものである。ＣＩＥ色度座標は、本明細書ではより簡潔に色座標と呼ばれることもあるが、１９３１年に国際照明委員会（「ＣＩＥ」、又はCommission international de l’eclairage）によって策定された、数学的に定義された色空間を特徴付けるものである。そのｘ及びｙ色度又は色座標は、物理的な位置又は変位に関連付けられるｘ及びｙ座標と混同されるべきではない。物理座標とは異なり、（ｘ，ｙ）色度座標は無単位である。白色光は、ＣＩＥ色座標（ｘ，ｙ）が０．２５≦ｘ≦０．４及び０．２５≦ｙ≦０．４を満たす光として定義されてもよく、この定義された領域内の種々の点が、白色光の種々の色合い又は色相、例えば、温かい白色と、それに対する冷たい白色に対応する。
【００６７】
広帯域反射板６１８が９４％の反射率を有する場合、図１１の曲線１１１０、１１１２は、モデル化された遠隔蛍光式広帯域光源によって発光された総出力光の、それぞれＣＩＥ  ｘ座標及びＣＩＥ  ｙ座標に対応している。図１１の観察、及び図１０との比較により、実質的に白色である広帯域出力を維持しながらも、図１０の曲線で示される最大出力電力が達成されることが示唆される。
【００６８】
別段の指示がない限り、本明細書及び特許請求の範囲において使用する、機構の寸法、数量、物理特性などを表すすべての数値は、「約」という語で修飾されるものとして理解されるものである。したがって、そうでない旨が明記されない限り、明細書及び特許請求の範囲に記載された数値パラメータは、本願の教示を利用する当業者が得ようと求める所望の特性に応じて変化し得る概算値である。
【００６９】
本発明の様々な修正形態及び変更形態が、当業者には、本発明の範囲及び趣旨から逸脱することなく明らかとなろう。また、本発明は、本明細書に記載した例示的な実施形態に限定されないことが理解されるべきである。すべての米国特許、公開及び非公開の特許出願、並びに本明細書で参照される他の特許及び非特許文献は、それらが上記の開示内容と直接、相反しない限り、参照によって本明細書に組み込まれる。
【図１ａ】
2014501438.tif 000003
【図１ｂ】
2014501438.tif 000004
【図２】
2014501438.tif 000005
【図３ａ】
2014501438.tif 000006
【図３ｂ】
2014501438.tif 000007
【図４】
2014501438.tif 000008
【図５】
2014501438.tif 000009
【図６】
2014501438.tif 000010
【図７】
2014501438.tif 000011
【図８】
2014501438.tif 000012
【図９】
2014501438.tif 000013
【図１０】
2014501438.tif 000014
【図１１】
2014501438.tif 000015
【図１２】
2014501438.tif 000016
【国際調査報告】
2014501438.tif 000017
2014501438.tif 000018
2014501438.tif 000019